(57)【要約】【課題】地震時の安全な避難スペースを確保し、地震発生時地震に伴う横揺れにより地震避難用テーブルが横方向に移動することを防止して、強い地震の場合でも避難者が外部に投げ出されることを回避すること。【解決手段】部屋の所定位置の床下における地面の少なくとも複数箇所に埋設したコンクリートブロック１１より成る基礎部１と、該複数の基礎部１に固着されるとともに前記複数の鉄骨脚部の下端が固着連結される立設部を備えた下部鉄骨連結枠部２が、前記下部鉄骨連結枠部２の前記立設部２１に固着連結され上方に延在突出して地震時の出入りを可能にする高さを備えた複数の鉄骨脚部３と、該複数の鉄骨脚部の上端に固着され連結する上部鉄骨連結枠部４と、前記鉄骨連結枠部の上面に固着されている鉄板製の天板部５から成る地震避難用テーブルである。【選択図】図１
2006333880.tif 000002
【特許請求の範囲】
【請求項１】
部屋の所定位置の床下における地面の少なくとも複数箇所に埋設した基礎部と、
該複数の基礎部に下端が固着立設され、床面より上方に突出して地震時の出入りを可能にする高さを備えた複数の鉄骨脚部と、
該複数の鉄骨脚部の上端に固着され連結する上部鉄骨連結枠部と
から成ることを特徴とする地震避難用テーブル。
【請求項２】
請求項１において、
前記基礎部が、前記複数の鉄骨脚部の下端に少なくとも対応する部位の地面に埋設されたコンクリートブロックによって構成されている
ことを特徴とする地震避難用テーブル。
【請求項３】
請求項２において、
鉄板製の天板部が、前記鉄骨連結枠部の上面に固着されている
ことを特徴とする地震避難用テーブル。
【請求項４】
請求項３において、
下部鉄骨連結枠部が、前記複数の鉄骨脚部の下端に固着連結されている
ことを特徴とする地震避難用テーブル。
【請求項５】
請求項４において、
前記基礎部が、前記下部鉄骨連結枠部に対応する部位の地面に埋設された鉄筋コンクリート基礎によって構成されている
ことを特徴とする地震避難用テーブル。
【請求項６】
請求項４において、
前記基礎部が、前記鉄板製の天板部より大きな面積の鉄筋コンクリート基礎によって構成されている
ことを特徴とする地震避難用テーブル。
【発明の詳細な説明】
【技術分野】
【０００１】
本発明は、日常は家具であるテーブルとして機能し、地震発生時においては地震避難用テーブル下部の内部空間に避難することを可能にし、建物が倒壊または一部破損したとしても、安全空間を確保し、避難者を地震による怪我から守り、生命の安全を確保する地震避難用テーブルに関するものである。
【背景技術】
【０００２】
最近では国内においては新潟を襲った地震が記憶に新しいが、スマトラ沖地震のように世界的規模で地震が発生していることもあり、わが国では以前から東海地震が予測されていることから、自分の家の耐震強度に関して、多くの人が不安をもっている。
【０００３】
１９８１年（昭和５６年）に建物の耐震性が法的に強化され施行されたが、それ以前に着工した木造住宅は、ほとんどが何らかの耐震強度が必要であり、東海地震がその後の阪神、淡路を襲った地震規模と予測されることから、昭和５６年の耐震性の法的強化後の建物でも、十分ではないのが現状である。
【０００４】
耐震診断の結果「倒壊または大破壊の危険あり」との判定を受けて、耐震補強が必要である場合に、耐震補強を既に実施した又は実施出来る家屋の方が一部にすぎないのであって、耐震補強が必要であるにもかかわらず、建物の耐震補強工事に多額の資金が必要なことから経済的理由によって大多数の家屋は耐震補強が実施できないため、多数の人が、不安な気持ちで毎日を過ごしているのである。
【０００５】
造成地に建てられた木造住宅は、地震時のために建物の補強が必要であるが、補強の実施が困難である。その原因は、建物の耐震補強工事に多額の資金が必要なことと、工事中の移転等の問題であった。
【０００６】
そこで、地震時に生活している家屋が倒壊または一部破損した場合に住人の安全を確保するために、避難スペースを確保するためのアイデアが色々提案されている。
【０００７】
例えば第１の従来の地震避難用テーブルは、複数の防滑パッドが下面に配設された受座板の上に立設した適当な管径と長さを有する複数の垂直桿と、対向する垂直桿の間を連結する複数の上弦桿と、隣り合う垂直桿を連結する複数の側桿と、隣り合う上弦桿を連結する複数の横桿と、垂直桿と上弦桿に内接するアーチ桿とからなり、アーチ橋原理とＫトラス剛性に基づき設計されたもので、部屋内に配置されるものであった。
【特許文献１】登録実用新案第３０１７５７８号公報
【０００８】
また第２の従来の地震用テーブルは、中央部とその周囲に配置した５本のスチールパイプ製の支柱から成る脚部と、脚部の上端に装着され角部に補強板を取り付けた継手と、隣り合う継手同士を接続するスチールパイプ製の枠材と、前記各支柱と各枠材を前記継手に固定する固定手段と、前記枠材の上面に固定した座卓とから成り、部屋内に配置され、地震時中央部の脚部にしがみつくことにより、外部に投げ出されるのを防止するものであった。
【特許文献２】特開平８−２２８８４４号公報
【発明の開示】
【発明が解決しようとする課題】
【０００９】
上記従来のいずれの地震避難用テーブルも、単に部屋内に配置され固定されるものでないため、地震発生時地震に伴う横揺れにより地震避難用テーブルが横方向に移動するため、強い地震の場合は避難者が外部に投げ出されることがあり、実用的ではないという問題点があった。
【００１０】
そこで本発明者は、地震避難用テーブルを部屋の所定位置の床下における地面の少なくとも複数箇所に埋設した基礎部に固着立設するという本発明の技術的思想に着眼し、さらに研究開発を重ねた結果、地震時の安全な避難スペースを確保し、地震発生時地震に伴う横揺れにより地震避難用テーブルが横方向に移動することを防止して、強い地震の場合でも避難者が外部に投げ出されることを回避するという目的を達成する本発明に到達した。
【課題を解決するための手段】
【００１１】
本発明（請求項１に記載の第１発明）の地震避難用テーブルは、
部屋の所定位置の床下における地面の少なくとも複数箇所に埋設した基礎部と、
該複数の基礎部に下端が固着立設され、床面より上方に突出して地震時の出入りを可能にする高さを備えた複数の鉄骨脚部と、
該複数の鉄骨脚部の上端に固着され連結する上部鉄骨連結枠部と
から成る
ものである。
【００１２】
本発明（請求項２に記載の第２発明）の地震避難用テーブルは、
前記第１発明において、
前記基礎部が、前記複数の鉄骨脚部の下端に少なくとも対応する部位の地面に埋設されたコンクリートブロックによって構成されている
ものである。
【００１３】
本発明（請求項３に記載の第３発明）の地震避難用テーブルは、
前記第２発明において、
鉄板製の天板部が、前記鉄骨連結枠部の上面に固着されている
ものである。
【００１４】
本発明（請求項４に記載の第４発明）の地震避難用テーブルは、
前記第３発明において、
下部鉄骨連結枠部が、前記複数の鉄骨脚部の下端に固着連結されている
ものである。
【００１５】
本発明（請求項５に記載の第５発明）の地震避難用テーブルは、
前記第４発明において、
前記基礎部が、前記下部鉄骨連結枠部に対応する部位の地面に埋設された鉄筋コンクリート基礎によって構成されている
ものである。
【００１６】
本発明（請求項６に記載の第６発明）の地震避難用テーブルは、
前記第４発明において、
前記基礎部が、前記鉄板製の天板部より大きな面積の鉄筋コンクリート基礎によって構成されている
ものである。
【発明の効果】
【００１７】
上記構成より成る第１発明の地震避難用テーブルは、上端に前記上部鉄骨連結枠部が固着された前記複数の鉄骨脚部の下端が、部屋の所定位置の床下における地面の少なくとも複数箇所に埋設した基礎部に、固着立設されるものであるため、地震時の安全な避難スペースを確保し、地震発生時地震に伴う横揺れにより地震避難用テーブルが横方向に移動することを防止して、強い地震の場合でも避難者が外部に投げ出されることを回避するという効果を奏する。
【００１８】
上記構成より成る第２発明の地震避難用テーブルは、前記第１発明において、前記基礎部が、前記複数の鉄骨脚部の下端に少なくとも対応する部位の地面に埋設されたコンクリートブロックによって構成されているので、比較的安価および簡易に施工することができ、強い地震の場合でも避難者が外部に投げ出されることを回避する地震避難用テーブルの提供を可能にするという効果を奏する。
【００１９】
上記構成より成る第３発明の地震避難用テーブルは、前記第２発明において、鉄板製の天板部が、前記鉄骨連結枠部の上面に固着されているので、地震発生時建物の倒壊にともない、柱、梁、その他の部分が前記天板部に落下しても貫通することは無く、避難者を保護するという効果を奏する。
【００２０】
上記構成より成る第４発明の地震避難用テーブルは、前記第３発明において、下部鉄骨連結枠部が、前記複数の鉄骨脚部の下端に固着連結されているので、地震避難用テーブルの下部の剛性を高めるという効果を奏する。
【００２１】
上記構成より成る第５発明の地震避難用テーブルは、前記第４発明において、前記基礎部が、前記下部鉄骨連結枠部に対応する部位の地面に埋設された鉄筋コンクリート基礎によって構成されているので、前記基礎部の剛性が高いため、地震発生時地震に伴う横揺れにより地震避難用テーブルが横方向に移動することを有効に防止して、強い地震の場合でも避難者が外部に投げ出されることを確実に回避するというという効果を奏する。
【００２２】
上記構成より成る第６発明の地震避難用テーブルは、前記第４発明において、前記基礎部が、前記鉄板製の天板部より大きな面積の鉄筋コンクリート基礎によって構成されているので、地震発生時に地震に伴いテーブルに荷重が作用した場合、前記基礎部の面積当りの荷重を減少させるため、前記基礎部の地震耐荷重を高めるという効果を奏する。
【発明を実施するための最良の形態】
【００２３】
以下本発明の最良の実施の形態につき実施例に基づき、図面を用いて具体的に説明する。
【実施例１】
【００２４】
本第１実施例の地震避難用テーブルは、図１ないし図３に示されるように部屋の所定位置の床下における地面の少なくとも複数箇所に埋設したコンクリートブロック１１より成る基礎部１と、該複数の基礎部１に固着されるとともに前記複数の鉄骨脚部の下端が固着連結される立設部を備えた下部鉄骨連結枠部２が、前記下部鉄骨連結枠部２の前記立設部２１に固着連結され上方に延在突出して地震時の出入りを可能にする高さを備えた複数の鉄骨脚部３と、該複数の鉄骨脚部の上端に固着され連結する上部鉄骨連結枠部４と、前記鉄骨連結枠部の上面に固着されている鉄板製の天板部５から成るものである。
【００２５】
前記基礎部１が、前記複数の鉄骨脚部の下端に少なくとも対応する部位の地面の４個の矩形穴部に小石を敷設して、該小石敷設部にそれぞれ複数例えば２個のコンクリートブロック１１を埋設され、該コンクリートブロックにアンカーボルト１１１が立設されている。
【００２６】
短辺側の隣り合うコンクリートブロック１１の上面に、その間を橋渡しするように松材の１０５ｍｍ×１２０ｍｍの角材より成る連結部材１２が配設され、前記コンクリートブロック１１に立設された前記アンカーボルト１１１によって固着されている。
【００２７】
前記下部鉄骨連結枠部２が、８００ｍｍの短辺に対して約倍の長さの１６００ｍｍの長辺からなる９０ｍｍ角、厚さ３．２ｍｍの鉄骨長方形枠２０によって構成され、図３に示されるように対向する長辺部２１の中央部において、１００ｍｍ×５０ｍｍの２本の鉄骨より成る連結部材２３によって、６５×６５×６のＬ型アングルのブラケット、ボルトおよびナットを介して連結されている。
【００２８】
前記下部鉄骨連結枠部２は、前記鉄骨長方形枠２０の各角部に９０ｍｍ角、厚さ３．２ｍｍの高さ調整用の複数の調整穴が所定間隔で形成された鉄骨立設部２１が一体的に溶接して立設され、立設部２１と長方形枠２０の水平部に対して５角形の鋼板製の連結プレートが溶接によって固着されている。
【００２９】
前記複数の鉄骨脚部３は、１００ｍｍ角、厚さ３．２ｍｍの鉄骨によって構成され、該複数の鉄骨脚部３の上端に、前記上部鉄骨連結枠部４が固着され連結されるとともに、前記鉄骨連結枠部４の上面に鉄板製の天板部５が固着され、上部テーブルを構成するものである。
【００３０】
前記下部鉄骨連結枠部２の９０ｍｍ角、厚さ３．２ｍｍの前記立設部２１の上端を前記複数の鉄骨脚部３の調整穴が所定間隔で形成された１００ｍｍ角の下端の内部に介挿し、地震時のフロアーとの間に形成されるスペースが避難者の出入りを可能にする高さが確保されるように、各調整穴の位置が調整され、前記立設部２１と前記連結部材１２が５角形の連結プレート２２を介して複数のボルトによって連結固着される。
【００３１】
前記上部鉄骨連結枠部４は、図３に示されるように対向する長辺部４１の中央部において、１００ｍｍ×５０ｍｍの２本の鉄骨より成る連結部材４３によって、６５×６５×６のＬ型アングルのブラケット、ボルトおよびナットを介して連結されている。
【００３２】
前記上部鉄骨連結枠部４は、図３に示されるように各角部上面に５角形の連結プレート４４が溶接によって固着されているとともに、図２に示されるように前記上部鉄骨連結枠部４の長辺部４１の中央には、避難時避難者が掴む手すり４５が突設されている。
【００３３】
前記上部鉄骨連結枠部４は、図１および図２に示されるように前記鉄骨脚部３の上端部と長方形枠４０の水平部角部に対して５角形の鋼板製の連結プレート４４が溶接によって固着されている。
【００３４】
前記下部鉄骨連結枠部２は、図１および図２に示されるように前記立設部２１と長方形枠２０の水平部角部に対して５角形の鋼板製の連結プレート２４が溶接によって固着され、上面に床材プレート２５が載置されている。
【００３５】
上記構成より成る本第１実施例の地震避難用テーブルは、上端に前記上部鉄骨連結枠部４が固着された前記複数の鉄骨脚部３の下端が、部屋の所定位置の床下における地面の少なくとも複数箇所に埋設した前記基礎部１に、固着立設されるものであるため、地震時の安全な避難スペースを確保し、地震発生時地震に伴う横揺れにより地震避難用テーブルが横方向に移動することを防止して、強い地震の場合でも避難者が外部に投げ出されることを回避するという効果を奏する。
【００３６】
また本第１実施例の地震避難用テーブルは、前記基礎部１が、前記各鉄骨脚部３の下端に対応する部位の地面に埋設されたコンクリートブロック１１によって構成されているので、施工が簡単容易であることから、比較的安価および簡易に地震避難用テーブルの提供を可能にするとともに、強い地震の場合でも避難者が外部に投げ出されることを回避するという効果を奏する。
【００３７】
さらに本第１実施例の地震避難用テーブルは、充分な剛性を有する鉄骨脚部３、前記下部鉄骨連結枠部２、前記上部鉄骨連結枠部４における部材が直交する各角部に５角形の鋼板製の連結プレートが溶接によって固着されているので、テーブル全体の剛性を一層高め、１．５ｍ×１．０ｍ×０．９５ｍの安全な避難スペースを確保するという効果を奏する。
【００３８】
また本第１実施例の地震避難用テーブルは、前記下部鉄骨連結枠部２の９０ｍｍ角の前記立設部２１および前記複数の鉄骨脚部３の下部に所定間隔で調整穴が形成され、施工する家屋の寸法に応じてボルトで固着する調整穴を選択することにより、地震時のフロアーとの間に形成されるスペースが避難者の出入りを可能にする最適な高さが確保されるように出来るとともに、鉄骨を予め工場において製作する安価な規格化した製品によって、安全な避難スペースを確保するという効果を奏する。
【００３９】
さらに本本第１実施例の地震避難用テーブルは、座卓用セーフティ・テーブル及び食卓・机用セーフティ・テーブルとして使用することが出来るものであるが、地震によって建物が倒壊しても充分耐える強度をもったボックス型鉄骨構造のものをコンクリート基礎に設置するものであるので、上部からの重量に対して安全であるばかりでなく、下部からの地盤が悪いためのひび割れ等に対しても基礎と一体になって避難空間を確保できるという効果を奏する。
【実施例２】
【００４０】
本第２実施例の地震避難用テーブルは、図４ないし図８に示されるように基礎部１が、鉄筋コンクリート基礎１３によって構成されている点が主な相違点であり、以下上述の第１実施例との相違点を中心に説明し、同一部分には同一の符号を用いて説明を省略する。
【００４１】
前記基礎部１は、床下の所定位置に矩形の穴を形成して、砕石を敷き詰めて、その上に枠組みをして形成された１辺１．８ｍの正方形の鉄板製の天板部５より充分大きな面積全体に亘る鉄筋コンクリート基礎１３によって構成され、コンクリート基礎１３内には直径１３ｍｍの鉄筋が２００ｍｍピッチで縦横に敷設され、上面の鉄骨脚部３の下端に対応する部位にそれぞれ２個のアンカーボルトが立設されている。
【００４２】
鉄骨脚部３は、１００ｍｍ角の鉄骨によって構成され下部鉄骨連結枠部２と一体的に形成される下部テーブル５０１を構成する下部脚部３１と、１００ｍｍ角の鉄骨によって構成され上部鉄骨連結枠部４と一体的に形成される上部テーブル５０２を構成する上部脚部３２とから成る。
【００４３】
前記下部脚部３１の上端部には９０ｍｍ角の鉄骨が溶接により一体的に突設された接続部３１１が形成され、該接続部３１１と上部脚部３２の下端には、高さ調整用の複数の調整穴３４が所定間隔で形成され、地震時のフロアー面Ｆとの間に形成されるスペースが避難者の出入りを可能にするとともに、テーブル下部の前記上部鉄骨連結枠部４と前記下部鉄骨連結枠部２との間に避難者の避難スペースが確保される位置の前記調整穴３４にボルトが挿入されナットによって締着される。
【００４４】
前記下部鉄骨連結枠部２が、一辺の長さ１７００ｍｍの１００ｍｍ角の鉄骨矩形枠２０によって構成され、隣り合う辺が交差する各角部の下面には前記２個のアンカーボルトにナットによって固着される５角形の鋼板製の１０ｍｍ以上の厚さを有する連結プレート２４が溶接によって固着され、上面にレザー貼りの合板下地フローリング張りの床材プレート２５が載置されている。
【００４５】
前記上部鉄骨連結枠部４が、一辺の長さ１７００ｍｍの１００ｍｍ角の鉄骨矩形枠４０によって構成され、隣り合う辺が交差する各角部の上下面には５角形の鋼板製の連結プレート４４が溶接によって固着されている。
【００４６】
前記下部鉄骨連結枠部２および前記上部鉄骨連結枠部４と脚部３１、３２との連結部に形成される２つの角部には５角形の鋼板製の連結プレートが溶接によって固着されている。
【００４７】
一辺１．８ｍの正方形の鋼板製の前記天板部５が、前記上部鉄骨連結枠部４の上部に載置されビスによって固着され、上面には木材層または樹脂層が貼着されている。
【００４８】
本第２実施例においては、避難テーブルが基礎部１の上に載置固定され、高さが調整された後、床面Ｆの下部の内側壁に内壁材として耐火ボード下地クロス２６が貼られている。
【００４９】
上記構成より成る本第２実施例の地震避難用テーブルは、上端に前記上部鉄骨連結枠部４が固着された前記複数の鉄骨脚部３の下端が、部屋の所定位置の床下における地面の少なくとも複数箇所に埋設した前記基礎部１に、固着立設されるものであるため、地震時の安全な避難スペースを確保し、地震発生時地震に伴う横揺れにより地震避難用テーブルが横方向に移動することを防止して、強い地震の場合でも避難者が外部に投げ出されることを回避するという効果を奏する。
【００５０】
また本第２実施例の地震避難用テーブルは、前記基礎部１が、前記下部鉄骨連結枠部２に対応する部位の地面に埋設された前記鉄筋コンクリート基礎１３によって構成されているので、前記基礎部１の剛性が高いため、地震発生時地震に伴う横揺れにより地震避難用テーブルが横方向に移動することを有効に防止して、強い地震の場合でも避難者が外部に投げ出されることを確実に回避するという効果を奏する。
【００５１】
さらに本第２実施例の地震避難用テーブルは、前記基礎部１が、前記鉄板製の天板部５より大きな面積の鉄筋コンクリート基礎１３によって構成されているので、地震発生時に地震に伴いテーブルに荷重が作用した場合、前記基礎部の面積当りの荷重を減少させるため、前記基礎部の地震耐荷重を高めるという効果を奏する。
【００５２】
また本第２実施例の地震避難用テーブルは、テーブル下部の地盤が悪いために地震によってひび割れ等が発生したとしても、ひび割れ等に対しても鉄筋コンクリート基礎１３とテーブルが一体になって避難空間を確保できるという効果を奏するとともに、例え基礎が割れたり傾いたとしても、テーブルが乗用車のように鉄骨より構成され剛接合された頑強なボックス型構造のため、つぶれることなく避難空間を確実に確保できるという効果を奏する。
【００５３】
さらに本第２実施例の地震避難用のセーフティ・テーブルは、鉄骨を工場において溶接して下部テーブル５０１と上部テーブル５０２を予め製作して、現場では全体の半分の重量（人力で搬入可能な約１００ｋｇ）の下部テーブル５０１と上部テーブル５０２とを充分な高さおよび避難スペースを確保出来るようにそれぞれの前記調整穴３４にボルトを挿入し締着することにより設置できるため、工期が短いとともに、建物の中の工事範囲も１室内に限られるので、工事中の建物内における移動等の必要もなく、工事費も安価に収めることが出来るという効果を奏する。
【実施例３】
【００５４】
本第３実施例の地震避難用テーブルは、図９ないし図１１に示されるように第２実施例に対して、基礎部１が、各鉄骨脚部３に対応するように分割して敷設された分割型鉄筋コンクリート基礎１４によって構成されている点およびテーブルのサイズが主な相違点であり、以下上述の第２実施例との相違点を中心に説明し、同一部分には同一の符号を用いて説明を省略する。
【００５５】
前記基礎部１は、床下の所定位置に矩形の穴を形成して、砕石を敷き詰めて、その上に枠組みをして形成された各鉄骨脚部３の下端に対応する４個の部分に分割して敷設された分割型鉄筋コンクリート基礎１４によって構成され、コンクリート基礎１４内には直径１３ｍｍの鉄筋が２００ｍｍピッチで縦横に敷設され、上面の鉄骨脚部３の下端に対応する部位にそれぞれ２個のアンカーボルトが立設されている。
【００５６】
下部鉄骨連結枠部２が、長辺の長さ１７００ｍｍおよび短辺１２００ｍｍの１００ｍｍ角の鉄骨矩形枠２０によって構成され、隣り合う辺が交差する各角部の下面には前記２個のアンカーボルトにナットによって固着される５角形の鋼板製の連結プレートが溶接によって固着され、上面に床材プレート２５が載置されている。
【００５７】
上部鉄骨連結枠部４が、長辺の長さ１７００ｍｍおよび短辺１２００ｍｍの１００ｍｍ角の鉄骨矩形枠４０によって構成され、隣り合う辺が交差する各角部の上下面には５角形の鋼板製の連結プレートが溶接によって固着されている。
【００５８】
天板部５は、長辺の長さ１８００ｍｍおよび短辺１３００ｍｍの長方形の鉄板製の板部材によって構成され、前記上部鉄骨連結枠部４の上部に載置されピスによって固着されるが、上面には木材層または樹脂層が貼着されている。
【００５９】
本第３実施例においては、図１０および図１１に示されるように床面の下部にスライド自在の合板製または鋼板製その他の戸車を４個備えた両引きの蓋６を対向配設して、通常時は閉じて座卓として使用し、地震発生時においては、閉じている対向蓋６を反対方向にスライドさせて、開けることにより、速やかに避難空間を形成するように構成され、床面Ｆの下部のスペースを充分確保すれば避難スペース内に避難した後対向蓋６を閉めることにより、地震時落下物が避難スペース内に侵入するのを防止できるように構成することも出来る。
【００６０】
地震時に木造住宅が倒壊の恐れのある場合に、本第３実施例の地震避難用テーブルを利用して避難用のボックス空間をつくることを意図しており、テーブルの高さを変えることにより、食卓用（高さ７３ｃｍ）、座卓用（高さ５３ｃｍ）の両方に使用できる。
【００６１】
本第３実施例においては、図１２に示されるようにモデルとして木造２階建て家屋において、８帖の部屋のある１階部分が倒壊した場合における安全な避難ボックスを設計するものである。
設計条件としては、
（１）鋼製ポックス（角パイプ）（大きさ１．６ｍ×１．１ｍ×１．３ｍＨ）、      基礎：鉄筋コンクリート造
（２）木造住宅仕様  屋根：瓦ぶき、２階壁：モルタル塗、１階壁：ボード貼
（３）地震時に屋根と２階部分の荷重の半分がボックスにかかるものとする。
（衝撃係数＝１．２）
であり、上述の本第３実施例の地震避難用テーブルは、この設計条件を満たす強度を備えるように寸法が決定されている。
【００６２】
上記構成より成る本第３実施例の地震避難用テーブルは、前記基礎部１が、前記鉄骨脚部３の下端に対応する部位の地面に埋設された４分割された鉄筋コンクリート基礎１４によって構成されているので、前記基礎部１の分割された鉄筋コンクリート基礎１４の剛性が高いため、地震時の安全な避難スペースを確保し、地震発生時地震に伴う横揺れにより地震避難用テーブルが横方向に移動することを有効に防止して、強い地震の場合でも避難者が外部に投げ出されることを確実に回避するという効果を奏する。
【００６３】
また本第３実施例の地震避難用テーブルは、前記基礎部１が、前記鉄骨脚部３の下端に対応する部位の地面に埋設された４分割された鉄筋コンクリート基礎１４によって構成されているので、建物の倒壊にともない、柱、梁、その他の部分がテーブルに落下して倒壊荷重が作用した時、該倒壊荷重が主として作用する各脚部を４分割された鉄筋コンクリート基礎１４によって有効に受け止めることが出来るという効果を奏する。
【００６４】
さらに本第３実施例の地震避難用テーブルは、地震によって１階部分が倒壊した場合においても、上述の設計条件が満たされるように構成されているので、破壊されない安全なボックス型構造の避難空間を確保できるという効果を奏する。
【００６５】
また本第３実施例の地震避難用テーブルは、前記基礎部１が面積の少ない分割型の鉄筋コンクリート基礎によって構成されているので、上述の第２実施例に較べて安価に基礎部を形成することが出来るという効果を奏する。
【実施例４】
【００６６】
本第４実施例の地震避難用テーブルは、図１３および図１４に示されるように第３実施例に対して、基礎部１が、下部鉄骨連結枠部２に対応する部位の地面に埋設された鉄筋コンクリート基礎１５によって構成されている点が主な相違点であり、以下上述の第３実施例との相違点を中心に説明し、同一部分には同一の符号を用いて説明を省略する。
【００６７】
前記基礎部１は、床下の所定位置に矩形の穴を形成して、砕石を敷き詰めて、その上に枠組みをしてロの字状の下部鉄骨連結枠部２に対応する部位の地面に形成され埋設されたロの字状の鉄筋コンクリート基礎１５によって構成されている。
【００６８】
本第４実施例においては、床面Ｆに腰を下ろした時に足が下部鉄骨連結枠部２の上面の床材２５に届かない場合の揺動自在に配設された足置き台７を備えているものである。
【００６９】
上記構成より成る第４実施例の地震避難用テーブルは、前記基礎部１が、前記下部鉄骨連結枠部２に対応する部位の地面に埋設された鉄筋コンクリート基礎１５によって構成されているので、上述の第３実施例に較べて前記基礎部１の剛性が高いため、地震時の安全な避難スペースを確保し、地震発生時地震に伴う横揺れにより地震避難用テーブルが横方向に移動することを有効に防止して、強い地震の場合でも避難者が外部に投げ出されることを確実に回避するという効果を奏する。
【実施例５】
【００７０】
本第５実施例の地震避難用テーブルは、図１５ないし図１８に示されるように座卓用テーブルに適用したもので、第１実施例に対して、テーブル下の避難スペースから建物外部に脱出するための脱出通路８を追加した点が主な相違点であり、以下上述の第１実施例との相違点を中心に説明し、同一部分には同一の符号を用いて説明を省略する。
【００７１】
前記脱出通路８は、テーブルの長辺側の開口部の下部中央から建物の壁の開口部までを繋ぐもので、上下２本ずつの計４本の４５ｍｍ角の厚さ６ｍｍのＬ字型のアングル８１の間の上下に延在する左右の２面には一定間隔で平行に４０ｍｍ角の厚さ４ｍｍのＬ字型の平行アングル８２を並設し、隣り合う平行アングルの間にＸ字状に２本の４０ｍｍ角の厚さ４ｍｍのＬ字型の交差アングル８３を並設するものである。
【００７２】
前記脱出通路８の床下に形成されたテーブル側矩形開口部８４には、図１５に示されるように地震時の床面の傾斜発生を考慮して上部に充分な間隙が形成された横方向に移動自在のスライド扉８５が配設され、脱出時以外は閉じられている。
【００７３】
前記脱出通路８の外壁または建物の基礎側に形成された矩形の外部脱出用開口部８６には、左右の一端側の２点においてヒンジ支持された内部から開けることが出来る複数の換気孔が形成された金属製の扉８７が配設されている。
【００７４】
上記構成より成る本第５実施例の地震避難用テーブルは、前記脱出通路８を備えているので、地震時の建物の倒壊によりテーブルの上部鉄骨連結枠部４と床面Ｆとの間の開口部が倒壊に伴う建物の柱，梁その他の落下物によって塞がれた時でも、地震がおさまり建物の２次的倒壊が予想される等建物外に脱出した方が安全と判断される場合には、前記脱出通路８の床下に形成されたテーブル側矩形開口部８４の前記スライド扉８５を横方向に移動して開口部を形成して前記脱出通路８内に脱出し、前記脱出通路８の外壁または建物の基礎側に形成された矩形の外部脱出用開口部８６に配設された前記金属製の扉８７に到達したら、左右の一端側の２点においてヒンジ支点として前記金属製の扉８７を内部から開けて、建物の外部に脱出するものである。
【００７５】
上記作用を奏する本第５実施例の地震避難用テーブルは、地震時の建物の倒壊によりテーブルの上部鉄骨連結枠部４と床面Ｆとの間の開口部が倒壊に伴う建物の柱，梁その他の落下物によって塞がれた時でも、地震がおさまり建物の２次的倒壊が予想される等建物の外に脱出した方が安全と判断される場合には、前記脱出通路８を介して建物の外部に脱出することが出来るという効果を奏するとともに、テーブル内に閉じ込められることを回避することが出来るという効果を奏するものである。
【００７６】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００７７】
また上述の実施例は、一例として矩形の避難テーブルについて説明したが、本発明としてはそれらに限定されるものではなく、避難テーブルとして、円形、楕円形、または長円形を採用することが出来る。
【００７８】
また上述の実施例は、一例として避難テーブルの高さを最適に設定出来るように高さ調整機構を備えたものについて説明したが、本発明としてはそれらに限定されるものではなく、予め製造された数種類の高さのテーブルから選択して、載置固定するような実施形態を採用することが出来る。
【００７９】
また上述の実施例は、一例として基礎部としてコンクリートブロックおよび鉄筋コンクリート基礎を採用した例について説明したが、本発明としてはそれらに限定されるものではなく、アンカーボルトが植設可能であれば煉瓦、ブロック、発砲コンクリート材、木材、樹脂材、金属材その他の材料を基礎部として利用することが出来るものである。
【産業上の利用可能性】
【００８０】
部屋の所定位置の床下における地面の少なくとも複数箇所に埋設したコンクリートブロック１１より成る基礎部１と、該複数の基礎部１に固着されるとともに前記複数の鉄骨脚部の下端が固着連結される立設部を備えた下部鉄骨連結枠部２が、前記下部鉄骨連結枠部２の前記立設部２１に固着連結され上方に延在突出して地震時の出入りを可能にする高さを備えた複数の鉄骨脚部３と、該複数の鉄骨脚部の上端に固着され連結する上部鉄骨連結枠部４と、前記鉄骨連結枠部の上面に固着されている鉄板製の天板部５から成る地震避難用テーブルであって、地震時の安全で確実な避難スペースを確保する用途に適している。
【図面の簡単な説明】
【００８１】
【図１】本発明の第１実施例の地震避難用テーブルを示す側面図である。
【図２】本第１実施例の地震避難用テーブルを示す正面図である。
【図３】本第１実施例の地震避難用テーブルを示す平面図である。
【図４】本発明の第２実施例の地震避難用テーブルを示す斜視図である。
【図５】本第２実施例の地震避難用テーブルを示す正面図である。
【図６】本第２実施例の地震避難用テーブルを示す平面図および底面図である。
【図７】本第２実施例の地震避難用テーブルを上下に分割された状態を示す側面図である。
【図８】本第２実施例の地震避難用テーブルの脚部の高さ調整機構を示す部分拡大図である。
【図９】本発明の第３実施例の地震避難用テーブルを示す正面図である。
【図１０】本第３実施例の地震避難用テーブルを示す側面図である。
【図１１】本第３実施例の地震避難用テーブルにおける蓋の開閉機構を説明するための側面図および平面図である。
【図１２】本第３実施例の地震避難用テーブルにおける設計条件を説明するための建物の正面図および部屋の平面図である。
【図１３】本発明の第４実施例の地震避難用テーブルを示す側面図である。
【図１４】本第４実施例の地震避難用テーブルを示す正面図である。
【図１５】本発明の第５実施例の地震避難用テーブルを示す正面図である。
【図１６】本第５実施例の地震避難用テーブルを示す平面図である。
【図１７】本第５実施例における避難通路を示す側面図である。
【図１８】本第５実施例における避難通路の外部脱出用開口部を示す部分図である。
【符号の説明】
【００８２】
１  基礎部
２  下部鉄骨連結枠部
３  鉄骨脚部
４  上部鉄骨連結枠部
５  天板部
１１  コンクリートブロック
２１  立設部
【図１】
2006333880.tif 000003
【図２】
2006333880.tif 000004
【図３】
2006333880.tif 000005
【図４】
2006333880.tif 000006
【図５】
2006333880.tif 000007
【図６】
2006333880.tif 000008
【図７】
2006333880.tif 000009
【図８】
2006333880.tif 000010
【図９】
2006333880.tif 000011
【図１０】
2006333880.tif 000012
【図１１】
2006333880.tif 000013
【図１２】
2006333880.tif 000014
【図１３】
2006333880.tif 000015
【図１４】
2006333880.tif 000016
【図１５】
2006333880.tif 000017
【図１６】
2006333880.tif 000018
【図１７】
2006333880.tif 000019
【図１８】
2006333880.tif 000020